(57)【要約】【課題】圧力センサをスイッチとして用い複数の機能を実現できるＩＣカードを提供する。【解決手段】ＩＣカード１のスイッチとしてフィルム型センサを用いた圧力センサ１０を設ける。圧力センサ１０の電極１１は、圧力センサ１０上方に設けたスイッチボタン４を押下することにより撓み、押下時の圧力に応じて電極１１とカーボンシート１５との接触面積が変化し、圧力センサ１０を介して電源２５から制御部２０に入力される電圧が変化する。ＩＣカード１では、スイッチボタン４が弱く押下され、制御部２０への入力電圧が時間ｔ以上継続して範囲ｖ１にあった場合、制御部２０が起動しディスプレイ３に初期表示データの表示を行い、その後、スイッチボタン４が強く押下され、制御部２０への入力電圧が時間ｔ以上継続して範囲ｖ２にあった場合、ディスプレイ３の表示を別のデータに変更する。【選択図】図３
2013140502.tif 000002
【特許請求の範囲】
【請求項１】
電源と、制御部と、表示部と、圧力センサを有するＩＣカードであって、
前記制御部には、前記圧力センサが押下される圧力に応じた電圧が、前記電源から前記圧力センサを介して入力され、
前記制御部は、複数の電圧範囲に対応して定められる、前記制御部の起動と、前記表示部の表示内容の変更または所定の表示内容の表示とを含む複数の制御動作のうち、前記電源から入力される電圧が属する電圧範囲に対応するものを実行することを特徴とするＩＣカード。
【請求項２】
前記制御部は、前記電源から入力される電圧が、所定時間継続して所定の電圧範囲にあった場合に、前記所定の電圧範囲に対応する前記制御動作を実行することを特徴とする請求項１に記載のＩＣカード。
【請求項３】
前記圧力センサとして、フィルムに設けた電極が押下されて下方の導電体に接することにより、前記電極の２つの端子が前記導電体を介して導通するフィルム型センサを用い、
前記電極と前記導電体の接触面積の大小により、前記制御部に入力される電圧が変化することを特徴とする請求項１または請求項２記載のＩＣカード。
【請求項４】
前記制御部は、前記電源から入力される電圧が第１の電圧範囲または前記第１の電圧範囲よりも高い第２の電圧範囲のいずれか一方にある場合に起動して前記表示部に初期表示を行い、
その後、前記電源から入力される電圧が前記第１の電圧範囲または前記第２の電圧範囲の他方にある場合に、前記表示部の表示内容の変更または所定の表示内容の表示を行うことを特徴とする請求項１から請求項３のいずれかに記載のＩＣカード。
【発明の詳細な説明】
【技術分野】
【０００１】
本発明は、ＩＣカードに関し、より詳しくは、表示機能を備えた表示機能付きＩＣカードに関する。
【背景技術】
【０００２】
ＩＣカードの１つに、電子マネーの利用に際してＩＣチップに電子マネー残額等のデータを記録し、制御部の制御によりディスプレイに当該データの表示を行う表示機能付きＩＣカードがある。
【０００３】
従来の表示機能付きＩＣカードは、図９に示すように、ＩＣカード１’に設けられたプッシュスイッチ３０を押下することにより回路を導通させ、制御部２０の入力端子に制御命令として電源２５から所定の電圧を入力することで、制御部２０がスタンバイ状態から起動し予め設定された制御動作を実行するように構成されている。例えば、制御部２０は起動すると電源２５から電力供給を受けて電子マネー残額等のデータをディスプレイに表示する。
【０００４】
現在、サービスの多様化に応じて、このようなＩＣカードにも様々な機能を追加したいという要望が高まっている。例えば、上記のような表示機能付きＩＣカードを、電子マネーの利用に応じてポイントを付与するようなサービスで利用する場合、電子マネー残額だけでなく、ポイントなどの表示も行えることが望ましい。
【０００５】
しかし、従来の表示機能付きＩＣカードでは、制御部２０への制御命令は、プッシュスイッチ３０のオンに伴い制御部２０に入力される電圧に対応する１種類のみであり、これに対応する制御動作以外は実行できない。さらに、ＩＣカードは、できるだけ小さくかつ薄くすることが求められるので、複数のプッシュスイッチ３０を設けて制御部２０へ複数の制御命令を入力することも難しい。
【０００６】
ところで、特許文献１、２には、ＩＣカードや電子ラベルに圧力センサを設けることが記載されている。ここで、圧力センサを表示機能付きＩＣカードにおけるスイッチとして用いると、１つのスイッチで制御部２０に複数の制御命令が入力できる可能性が考えられる。例えば、特許文献３には、圧力センサ操作キーの押圧力に応じて、表示部に表示させる文字選択メニューを切り替える携帯電話機などの携帯端末が示されている。
【先行技術文献】
【特許文献】
【０００７】
【特許文献１】特開２００４−０９４６１４号公報
【特許文献２】特表２００４−５３１９２３号公報
【特許文献３】特開２００４−９４６１４号公報
【発明の概要】
【発明が解決しようとする課題】
【０００８】
しかしながら、圧力センサをスイッチとして用いて複数の制御命令を制御部に入力し、表示機能付きＩＣカードで求められる複数の機能を実現させるためには、上記の特許文献の例とは異なる構成等が必要になる。
【０００９】
例えば、特許文献１は、ＩＣカードにおける指紋認証の際に圧力センサを利用して指が触れているかを確認するものであり、表示機能付きＩＣカードにおけるスイッチとして用いるものではない。
また、特許文献２には、圧力センサを用いて電子ラベルの表示内容を選択し変更することが示されており、特許文献３には、圧力センサ操作キーに加わる力に応じて携帯端末の表示部に表示させる文字選択メニューを切り替えることが記載されているが、１つのスイッチにより前記のような表示機能付きＩＣカードで求められる複数の機能を実現する場合には、前記した表示機能付きＩＣカードにおける制御に合わせ、異なる構成等が必要となる。
【００１０】
本発明は、前述した問題点に鑑みてなされたもので、圧力センサをスイッチとして用い複数の機能を実現できるＩＣカードを提供することを目的とする。
【課題を解決するための手段】
【００１１】
前述した目的を達するための本発明は、電源と、制御部と、表示部と、圧力センサを有するＩＣカードであって、前記制御部には、前記圧力センサが押下される圧力に応じた電圧が、前記電源から前記圧力センサを介して入力され、前記制御部は、複数の電圧範囲に対応して定められる、前記制御部の起動と、前記表示部の表示内容の変更または所定の表示内容の表示とを含む複数の制御動作のうち、前記電源から入力される電圧の属する電圧範囲に対応するものを実行することを特徴とするＩＣカードである。
【００１２】
本発明によって、圧力センサを押下する圧力の強さに応じた複数の電圧を制御命令として制御部に入力できるようになり、これにより、制御部の起動や表示内容の変更など、電圧に対応させて予め設定した、制御部の制御における個々の制御動作を実行し、１つのスイッチで表示機能付きＩＣカードで求められる複数の機能を実現することが可能になる。例えば、電子マネーの利用に用いる表示機能付きＩＣカードであれば、制御部の起動を行うとともに、電子マネー残額だけでなく、ポイントサービスのポイントなどの表示も行えるようになる。
【００１３】
また、前記制御部は、前記電源から入力される電圧が、所定時間継続して所定の電圧範囲にあった場合に、前記所定の電圧範囲に対応する前記制御動作を実行することが望ましい。
制御部に入力される電圧が所定時間に渡って所定の電圧範囲にある場合に、対応する制御動作を実行するように定めることで、圧力センサを誤って押下した場合等の誤動作を防ぐことが可能になる。
【００１４】
好ましくは、前記圧力センサとして、フィルムに設けた電極が押下されて下方の導電体に接することにより、前記電極の２つの端子が前記導電体を介して導通するフィルム型センサを用い、前記電極と前記導電体の接触面積の大小により、前記制御部に入力される電圧が変化することが望ましい。
このようなフィルム型センサは薄くできるので、薄型のＩＣカード本体に好適に収めることができる。
【００１５】
また、前記制御部は、前記電源から入力される電圧が第１の電圧範囲または前記第１の電圧範囲よりも高い第２の電圧範囲のいずれか一方にある場合に起動して前記表示部に初期表示を行い、その後、前記電源から入力される電圧が前記第１の電圧範囲または前記第２の電圧範囲の他方にある場合に、前記表示部の表示内容の変更または所定の表示内容の表示を行うことが望ましい。
これにより、圧力センサの押下により制御部を起動させてＩＣカードの表示部に初期表示を行った後、異なる圧力で圧力センサを押下することで表示部の表示内容を変えることができ、ＩＣカードにおいて、複数の表示内容の表示を好適に行うことができる。
【発明の効果】
【００１６】
本発明により、圧力センサをスイッチとして用い複数の機能を実現できるＩＣカードを提供することが可能になる。
【図面の簡単な説明】
【００１７】
【図１】本発明の実施形態に係るＩＣカード１の外観図
【図２】ＩＣカード１の構成を示す図
【図３】制御部２０、電源２５、圧力センサ１０の構成を示す図
【図４】圧力センサ１０について示す図
【図５】スイッチボタン４の押下について示す図
【図６】スイッチボタン４の押下時の圧力と制御部２０に入力される電圧の関係を示す図
【図７】ＩＣカード１における処理の流れを示すフローチャート
【図８】ＩＣカード１の表示内容を示す図
【図９】制御部２０、電源２５、プッシュスイッチ３０の構成を示す図
【発明を実施するための形態】
【００１８】
以下、本発明の実施形態を図面を参照して詳細に説明する。
まず、図１を用いて、本発明の実施形態に係るＩＣカード１の外観について説明する。
【００１９】
図１に示すＩＣカード１は、非接触式の通信を行うことにより電子マネーの利用を行うとともに、電子マネー残額や電子マネーの利用に際し付与されるポイントサービスのポイント、また電子マネーの累積使用金額等のデータをＩＣチップに記録し、制御部の制御により当該データの表示を行う表示機能付きＩＣカードであり、カード本体２の表面にディスプレイ３、スイッチボタン４を有する。なお、これらの配置は図１に示すものに限られることはない。
【００２０】
ディスプレイ３は、例えば液晶ディスプレイ、電子ペーパー等であり、数字や文字等のデータを表示する表示部である。
スイッチボタン４は、後述する圧力センサに圧力を加えるためのスイッチボタンである。
【００２１】
図２は、ＩＣカード１の構成を示す図である。ＩＣカード１は、制御部２０、ディスプレイドライバ２３、ディスプレイ３、電源２５、圧力センサ１０、ＩＣチップ２８、アンテナ２９等を有する。
【００２２】
制御部２０は、電源２５からの電力供給を受けてディスプレイ３へのデータの表示等を行うものであり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、外部入出力端子等がワンチップ化されたマイコンなどで構成される。ＲＯＭ等には、後述する制御方法に従って表示等の制御を行うためのプログラムが格納される。
【００２３】
ディスプレイドライバ２３は、ディスプレイ３と接続し、制御部２０による制御に従いディスプレイ３を駆動する。ディスプレイ３は、制御部２０による制御に従いデータの表示を行なう。
【００２４】
電源２５は、制御部２０に電力を供給する電池であり、一次電池、二次電池等、その種類は問わない。
【００２５】
ＩＣチップ２８は、ＣＰＵ、ＲＯＭ、ＲＡＭ、ＥＥＰＲＯＭ等を備える。ＩＣチップ２８は、非接触式の通信を行うためのインタフェースを有しており、外部のカードリーダライタとの間で通信を行い、ＲＯＭに格納されたプログラムに従ってデータ処理を実行する。ＥＥＰＲＯＭには、前記の電子マネー残額やポイント、累積使用金額等のデータが記憶される。
【００２６】
アンテナ２９は、ＩＣチップ２８がカードリーダライタと非接触式の通信を行なうためのアンテナである。ＩＣチップ２８の通信時、アンテナ２９はリーダライタから生じている磁界により交流電圧を発生し、これによりＩＣチップ２８が駆動する。アンテナ２９は、カード本体２の内部を周回して設けられ、その両端がＩＣチップ２８に接続される。
【００２７】
図３は、ＩＣカード１の電源２５、圧力センサ１０、制御部２０の構成を示す図である。
ＩＣカード１では、前述した従来のＩＣカード１’におけるプッシュスイッチ３０に代えて、スイッチボタン４の押下時の圧力に応じた電圧を制御部２０に入力するための圧力センサ１０が接続される。この圧力センサ１０としては、圧電素子等も考えられるが、薄型のカード本体２に内蔵する必要から薄くできるものが望ましく、フィルム型センサを用いることが好ましい。
【００２８】
図４は、フィルム型センサを用いた圧力センサ１０について示す図である。図４（ａ）は、圧力センサ１０の鉛直方向の構成を示す図であり、ＩＣカード１のカード本体２に埋め込まれた状態を示す。図４（ｂ）は、圧力センサ１０の電極１１について示す図である。
【００２９】
図４（ａ）に示すように、この圧力センサ１０は、導電体であるカーボンシート１５の上面にスペーサ１３を配置し、その上方にＰＥＴ（Polyethylene terephthalate）等高分子のフィルム１４を重ねた構造であり、フィルム１４の下面に電極１１を形成したものである。圧力センサ１０の上方には、スイッチボタン４が押下可能に配置される。なお、誤って押下することを防ぐ目的から、スイッチボタン４の上面はカード本体２から突出しないように設けられる。
【００３０】
図４（ｂ）に示すように、電極１１は、２つの端子１１ａ、１１ｂがフィルム１４上で若干の間隔をおいて互いに接しないように形成されたものである。端子１１ａ、１１ｂの一方は制御部２０の入力端子側に接続され、他方は電源２５側に接続される。
【００３１】
次に、図５、図６を参照してスイッチボタン４の押下と制御部２０に入力される電圧の関係について説明する。
図５はスイッチボタン４の押下について示す図である。左図は圧力センサ１０の鉛直方向の構成について示す図であり、右図は圧力センサ１０の電極１１について示す図である。また、図６は、スイッチボタン４の押下時の圧力と制御部２０に入力される電圧の関係を説明する図である。
【００３２】
図５（ａ）に示すように、スイッチボタン４が押下されていない状態では、前記のように、端子１１ａ、１１ｂは接していないため通電しておらず、図６のグラフの（ａ）に示すように、電源２５から圧力センサ１０を介して制御部２０に入力される電圧は０である。
【００３３】
しかし、図５（ｂ）に示すように、ユーザがスイッチボタン４を弱く押下すると、これに伴いフィルム１４が下方に撓む。すると、フィルム１４の下面の電極１１がカーボンシート１５に接触する。電極１１がカーボンシート１５に接触した部分を、図５（ｂ）の右図の接触部１２で示す。
電極１１がカーボンシート１５に接触することにより、端子１１ａ、１１ｂがカーボンシート１５を介して導通し通電が行われ、これにより、図６のグラフの（ｂ）に示すように、電源２５による電圧が圧力センサ１０を介して制御部２０に入力される。
【００３４】
また、図５（ｃ）に示すように、スイッチボタン４をより強く押下すると、図５（ｃ）の右図に示すように、電極１１とカーボンシート１５の接触部１２の接触面積が大きくなり、カーボンシート１５を介した端子１１ａ、１１ｂの通電時の抵抗が減少する。これにより、図６のグラフの（ｃ）に示すように、電源２５から圧力センサ１０を介して制御部２０に入力される電圧が上昇する。
【００３５】
このように、本実施形態のＩＣカード１では、スイッチボタン４の押下時の圧力の強さにより、電極１１とカーボンシート１５の接触面積が変化し、その大小により制御部２０に入力される電圧が変化するので、これらの電圧を制御命令とし、制御部２０の制御における個々の制御動作を電圧ごとに割り当てて、ＩＣカード１において複数の制御動作を行うことが可能になる。
【００３６】
詳しくは後述するが、本実施形態では、図６に示すように、スイッチボタン４を弱く押下した時の入力電圧の範囲として電圧範囲ｖ１（第１の電圧範囲）を定めるともに、スイッチボタン４を強く押下した時の入力電圧の範囲として電圧範囲ｖ２（第２の電圧範囲）を定めておき、これら制御部２０に入力される電圧の違いに応じて、制御部２０が異なる制御動作を実行するようにプログラミングしておく。
【００３７】
次に、ＩＣカード１における制御方法について、図７を用いて説明する。図７は、ＩＣカード１における処理の流れを示すフローチャートである。
【００３８】
ＩＣカード１の制御部２０は、電源２５から圧力センサ１０を介して入力される電圧ｖが、時間ｔ以上継続して電圧範囲ｖ１（図６参照）にあるか否かを判定する（Ｓ１０１）。電圧ｖが、時間ｔ以上継続して電圧範囲ｖ１にない場合は（Ｓ１０１；Ｎｏ）、Ｓ１０１の判定処理を繰り返す。
【００３９】
ユーザがスイッチボタン４を弱く押下することにより、電圧ｖが時間ｔ以上継続して電圧範囲ｖ１にある状態となった場合（Ｓ１０１；Ｙｅｓ）、これを制御命令として、制御部２０が電圧範囲ｖ１に対応して予め設定された制御動作を実行する。本実施形態では、制御部２０がスタンバイ状態から起動し、ＩＣチップ２８に電源２５からの電力を供給するとともにＩＣチップ２８から初期表示データとして電子マネー残額を読み込み（Ｓ１０２）、図８（ａ）に示すようにディスプレイ３に初期表示する（Ｓ１０３）。
【００４０】
その後、制御部２０は、電圧ｖの値が時間ｔ以上継続して電圧範囲ｖ２（図６参照）にあるかを判定する（Ｓ１０４）。
【００４１】
ユーザがスイッチボタン４を強く押下することにより、電圧ｖの値が時間ｔ以上継続して電圧範囲ｖ２にある状態となった場合（Ｓ１０４；Ｙｅｓ）、制御部２０は、電圧範囲ｖ２に対応して予め設定された制御動作として、表示内容の変更を行う。すなわち、ＩＣチップ２８から別の表示内容のデータとして、ポイントサービスのポイントを読み込み（Ｓ１０５）、図８（ｂ）に示すようにディスプレイ３に表示する（Ｓ１０６）。
【００４２】
電圧ｖの値が時間ｔ以上継続して電圧範囲ｖ２にない場合は（Ｓ１０４；Ｎｏ）、先程の初期表示（電子マネー残額）を継続する。
【００４３】
その後、制御部２０は、再度、電圧ｖが時間ｔ以上継続して電圧範囲ｖ１にあるか否かを判定する（Ｓ１０７）。ユーザがスイッチボタン４を弱く押下することにより、電圧ｖが再度時間ｔ以上継続して電圧範囲ｖ１にある状態となった場合（Ｓ１０７；Ｙｅｓ）、制御部２０は、電圧ｖが２回目に電圧範囲ｖ１となることに対応して予め設定された制御動作を実行する。本実施形態では、図８（ｄ）に示すように、シャットダウンし表示を終了する（Ｓ１０８）。
【００４４】
一方、電圧ｖが時間ｔ以上継続して電圧範囲ｖ１にない場合（Ｓ１０７；Ｎｏ）は、Ｓ１０７において電圧ｖが時間ｔ以上継続して電圧範囲ｖ１にある状態と判定される（Ｓ１０７；Ｙｅｓ）まで、前記のＳ１０４〜Ｓ１０７の処理を繰り返す。
【００４５】
このとき、本実施形態では、先程のＳ１０６でポイントが表示されている場合（図８（ｂ）参照）に、再度、ユーザがスイッチボタン４を強く押下することにより、電圧ｖの値が時間ｔ以上継続して電圧範囲ｖ２にある状態となった場合は（Ｓ１０４；Ｙｅｓ）、制御部２０は、再度表示内容の変更を行う。すなわち、別の表示内容のデータとして、電子マネーの累積使用金額をＩＣチップ２８から読み込み（Ｓ１０５）、図８（ｃ）に示すようにディスプレイ３に表示する（Ｓ１０６）。
【００４６】
このようにして、本実施形態では、ユーザがスイッチボタン４を弱く押下して表示を終了するまでの間、スイッチボタン４を強く押下するごとに、ＩＣカード１のディスプレイ３の表示内容が、ポイント（図８（ｂ））→累積使用金額（図８（ｃ））→ポイント→累積使用金額→…と順に切り替わるようにしておく。
【００４７】
以上説明したように、本実施形態では、ＩＣカード１のスイッチとして圧力センサ１０を使用することにより、スイッチボタン４により圧力センサ１０を押下する際の圧力の強さに対応して、制御部２０の起動や表示内容の変更など、制御部の制御における個々の制御動作を実行し、１つのスイッチで表示機能付きＩＣカードで求められる複数の機能を実現することが可能になる。
【００４８】
また、スイッチボタン４の押下に応じて制御部２０に入力される電圧ｖが、所定の時間ｔ継続して所定の電圧範囲（ｖ１等）にあった場合に、この電圧範囲に対応した制御動作が実行される。従って、誤ってスイッチボタン４が押下された場合等の誤動作を防止することが可能である。なお、時間ｔは予め設定して制御部２０にプログラミングしておけばよく、前記のｖ１やｖ２など電圧範囲ごとに異なるものとすることも可能である。
さらに、本実施形態では、電圧範囲ｖ１、ｖ２というように、判定の基準となる電圧に範囲を持たせるので、ユーザによる押下の仕方の誤差等を吸収することができる利点もある。この範囲は、圧力センサ１０のフィルム１４の剛性、またユーザの使いやすさ等を考慮して様々に定めることができ、例えばある電圧以上として定めることも可能である。
【００４９】
また、本実施形態では、押下の強弱に対応した２つの電圧範囲ｖ１、ｖ２を示したが、電圧範囲の数は２つに限ることはない。電圧範囲の数をさらに増やすことも可能であり、制御部２０により、電圧範囲の数の制御動作を実行させることが可能になる。
【００５０】
さらに、本実施形態では、スイッチボタン４の初回の弱い押下で制御部２０を起動して初期表示を行い、２回目の弱い押下で制御部２０をシャットダウンし、その間スイッチボタン４が強く押下される毎に表示内容を変更するようにしている。これにより、ＩＣカードにおいて複数の表示内容の表示を好適に行うことができるが、スイッチボタン４の押下時の圧力に応じた制御方法はこれに限らない。
【００５１】
例えば、上記とは逆に、スイッチボタン４の強い押下により制御部２０の起動および初期表示とシャットダウンを行い、スイッチボタン４の弱い押下により表示内容の変更を行うようにしてもよい。
さらに、２回目のスイッチボタン４の弱い押下により表示を終了する代わりに、スイッチボタン４が押下されない状態（図５（ａ）参照）が所定時間継続すれば、制御部２０がシャットダウンし表示を終了するようにしてもよい。
【００５２】
また、本実施形態では、スイッチボタン４を強く押下するごとに表示内容を切り替え変更したが、スイッチボタン４の押下時の圧力に応じて、予め定める表示内容の表示を行ってもよい。例えば、やや強くスイッチボタン４を押下する等して、制御部２０に入力される電圧ｖが所定の電圧範囲にある場合はサービスポイントの表示を行い、より強くスイッチボタン４を押下する等して、電圧ｖが上記の電圧範囲より高い所定の電圧範囲にある場合は累積使用金額の表示を行うなどである。
さらに、ディスプレイ３に表示する内容も、電子マネー残額やポイント、累積使用金額に限ることはなく、適宜定めることができる。
【００５３】
加えて、本実施形態では、ＩＣカード１として、電子マネー等の利用に用いる表示機能付きＩＣカードの例について説明したが、ＩＣカードは、制御部の制御により種々の表示を行うものであればこれに限ることはない。その他のＩＣカードの例としては、制御部が起動してワンタイムパスワードを生成し、これをディスプレイに表示するワンタイムパスワード生成器などがある。例えばスイッチの押下の強弱に応じて、上記の制御部の起動およびワンタイムパスワードの生成・表示と、表示内容の変更等を本実施形態と同様に行うことが可能である。
【００５４】
以上、添付図面を参照しながら、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５５】
１…ＩＣカード
３…ディスプレイ
４…スイッチボタン
１０…圧力センサ
１１…電極
１１ａ、１１ｂ…端子
１２…接触部
１３…スペーサ
１４…フィルム
１５…カーボンシート
２０…制御部
２５…電源
２８…ＩＣチップ
【図１】
2013140502.tif 000003
【図２】
2013140502.tif 000004
【図３】
2013140502.tif 000005
【図４】
2013140502.tif 000006
【図５】
2013140502.tif 000007
【図６】
2013140502.tif 000008
【図７】
2013140502.tif 000009
【図８】
2013140502.tif 000010
【図９】
2013140502.tif 000011